(57)【特許請求の範囲】
【請求項１】
登録印影と登録印影以外の印影とを含む登録印影画像を記憶する登録印影画像記憶部と、
前記登録印影画像中に複数の印影がある場合に、前記複数の印影から登録印影の候補を抽出する登録印影候補抽出部と、
前記登録印影候補抽出部によって抽出した登録印影候補に対して、前記登録印影画像に収まっているか否かを判定することにより目的とする登録印影を判定するはみ出し印影判定部と、
前記はみ出し印影判定部によって判定された前記登録印影と被照合印影とを照合する照合部を有し、
前記はみ出し印影判定部は、抽出した前記登録印影候補の印影の外枠と一致する外枠を推定し、推定した前記外枠と抽出した前記登録印影候補の前記外枠とを重ねて、一致しない場合は前記登録印影候補をはみだし印影と判定することを特徴とする印鑑照合装置。
【発明の詳細な説明】
【技術分野】
【０００１】
本発明は、金融機関において使用する印鑑照合装置に関するものである。
【背景技術】
【０００２】
従来、金融機関の窓口取引における引出取引や振込取引においては、顧客が持参した被照合印と、予め登録した印鑑との照合を行っている。このような印鑑照合の方法によると、まず、登録印影と被照合印影の両方の印影を抽出し、それぞれの印影の印影形状と形状サイズを検出している。そして、傾きを考慮して回転を行い、そして、重ね合わせによる判定又は目視確認による判定により印鑑照合を行っている。
【０００３】
特開２００１−２９７３２７号公報（特許文献１）には、抽出された登録印影と被照合印影の両方が、印影形状が同じでサイズが異なる場合、或いは印影が異なる角度で傾いている場合について目視確認を容易にする技術が開示されている。
【先行技術文献】
【特許文献】
【０００４】
【特許文献１】特開２００１−２９７３２７号公報
【発明の概要】
【発明が解決しようとする課題】
【０００５】
しかしながら、特許文献１による技術によれば、登録印影画像に複数の印影が含まれている場合、目的とする登録印影以外の印影が抽出されることになると、被照合印影との照合作業が困難になるという問題がある。
【０００６】
本発明が解決しようとする課題は、登録印影画像に複数の印影（登録印影及びそれ以外の印影）が含まれている場合、複数の印影から目的とする登録印影を自動的に抽出することにより、登録印影と被照合印影との照合作業を簡単に行うことができる印鑑照合装置を提供することを可能とするものである。
【課題を解決するための手段】
【０００７】
上記課題を解決するために本発明に関する印鑑照合装置は、登録印影と登録印影以外の印影とを含む登録印影画像を記憶する登録印影画像記憶部と、前記登録印影画像中に複数の印影がある場合に、前記複数の印影から登録印影の候補を抽出する登録印影候補抽出部と、前記登録印影候補抽出部によって抽出した登録印影候補に対して、前記登録印影画像に収まっているか否かを判定することにより目的とする登録印影を判定するはみ出し印影判定部と、前記はみ出し印影判定部によって判定された前記登録印影と被照合印影とを照合する照合部を有し、前記はみ出し印影判定部は、抽出した前記登録印影候補の印影の外枠と一致する外枠を推定し、推定した前記外枠と抽出した前記登録印影候補の前記外枠とを重ねて、一致しない場合は前記登録印影候補をはみだし印影と判定することを特徴とするものである。
【発明の効果】
【０００８】
上記構成を有する本発明によれば、登録印影画像に複数の印影が含まれている場合、複数の印影から目的とする登録印影を自動的に抽出することにより、登録印影と被照合印影との照合作業を簡単に行うことができる印鑑照合装置を提供することが可能になる。従って、印鑑照合業務の堅確性をより保つことができるようになる。
【図面の簡単な説明】
【０００９】
【図１】第１の実施の形態に関する印鑑照合システムの構成を示すブロック図である。
【図２】第１の実施の形態に関する営業店窓口端末１０の構成を示すブロック図である。
【図３】第１の実施の形態に関する印鑑照合部１５の機能ブロック図である。
【図４】第１の実施の形態に関する印鑑照合処理のフローチャートである。
【図５】第１の実施の形態に関する登録印影取得処理のフローチャートである。
【図６】第１の実施の形態に関するはみ出し印影の判定処理を示す説明図である。
【図７】第１の実施の形態に関するはみ出し印影の判定方法を示す説明図である。
【図８】第１の実施の形態に関する印鑑照合画面を示す説明図である。
【図９】第２の実施の形態に関する営業店窓口端末５０の構成を示すブロック図である。
【図１０】第２の実施の形態に関する印鑑照合部５５の機能ブロック図である。
【図１１】第２の実施の形態に関する登録印影抽出処理のフローチャートである。
【図１２】第２の実施の形態に関する登録印影画像６２の印影と文字を示す説明図である。
【図１３】第２の実施の形態に関する特定文字と印影間の距離を示す説明図である。
【発明を実施するための形態】
【００１０】
＜第１の実施の形態＞
以下、本発明の第１の実施の形態について説明する。図１は第１の実施の形態に関する印鑑照合システムの構成を示すブロック図である。印鑑照合システムにおいて、営業店１は銀行、信用金庫、郵便局等の金融機関の本店、支店等である。営業店窓口端末１０は営業店１の窓口に配設され、担当者が操作して入金、出金、通帳記帳、振込み、振替え等の勘定系の金融処理を行う。
【００１１】
営業店１において、顧客が通帳や証書を用いて預金の払出しを行う場合、印鑑を押印した帳票８を営業店窓口端末１０に提出して払出しを申し込む。すると、営業店窓口端末１０では、帳票８に押印された印鑑の印影と口座を開設したときに登録された登録印鑑の印影とが照合され、二つの印影が合致すると預金が払い出される。そのため、営業店窓口端末１０は、印鑑の印影を照合するための印鑑照合装置としての機能を有する。
【００１２】
ここで、顧客が新規に口座を開設する場合、印鑑を押印した申込書を営業店窓口端末１０に提出して口座の開設を申込む。営業店窓口端末１０は申込書に押印された印鑑の印影を取得して登録する。なお、営業店窓口端末１０には、印影を読み込むためのダイレクトスキャナ１３が接続されている。そして、営業店窓口端末１０は、ＬＡＮから成る営業店内ネットワークとルータを介して、金融機関ネットワーク４に接続されている。
【００１３】
金融機関ネットワーク４は、専用通信回線網又はＩＮＳ（Ｉｎｆｏｒｍａｔｉｏｎ
Ｎｅｔｗｏｒｋ Ｓｙｓｔｅｍ）である。そして、金融機関ネットワーク４には、金融機関の勘定系の上位装置として機能するホストコンピュータ３が接続される。営業店窓口端末１０は、ホストコンピュータ３と通信を行って、勘定系の金融処理を実行する。また、金融機関ネットワーク４は事務センタ２に接続されている。
【００１４】
事務センタ２は前記顧客の印鑑の印影等の情報を扱う。事務センタ２には、顧客の印鑑の印影を保持する印鑑サーバ５とこれを制御する印鑑コントローラ６を有する。これらは事務センタ２の内部に構築されたＬＡＮから成る事務センタ内ネットワークが、ルータを介して接続されている。更に、印鑑サーバ５には、顧客の印鑑の印影を格納する印鑑データベース７が接続されている。
【００１５】
そして、印鑑サーバ５は、前記ホストコンピュータ３からその記憶手段に格納されている印鑑に関する情報を受信し、印鑑データベース７に格納されている印鑑の印影及び印鑑に関する情報をアップデートするようになっている。そして、営業店１の担当者が印鑑照合を行う場合には、印鑑照合装置としての営業店窓口端末１０を操作して事務センタ２にアクセスして、印鑑サーバ５から該当する登録印鑑の印影を取得する。そして、営業店窓口端末１０において、帳票８の被照合印影Ｄと登録印鑑Ａの登録印影とが照合される。
【００１６】
図２は第１の実施の形態に関する営業店窓口端末１０の構成を示すブロック図である。印鑑照合装置としての営業店窓口端末１０は、表示部としてのディスプレイ１１と、入力部としてのマウス・キーボード１２と、ダイレクトスキャナ１３と、通伝プリンタ１４と、印鑑照合部１５と、端末記憶部１６等からなる。
【００１７】
ディスプレイ１１はマウス・キーボード１２により入力した情報を表示するとともに、印鑑照合において登録印影Ａと被照合印影Ｄとを表示する。マウス・キーボード１２は、担当者が操作して、帳票８に記載された店番、科目、口座番号等に基づいて所定事項を入力する。ダイレクトスキャナ１３は、マット上にセットした帳票８をカメラ部にて画像取得し、取得した画像データを営業店端末制御部１７へ転送する。通伝プリンタ１４は、帳票８に対して所定の事項を印字する。印鑑照合部１５は、登録印影Ａと被照合印影Ｄとの照合を行う。端末記憶部１６は半導体メモリ、磁気ディスクからなり制御用プログラムを記憶し、更に各種データを一時的に記憶する。更に、営業店端末制御部１７は、制御用プログラムによってこれら各部を制御する。
【００１８】
図３は第１の実施の形態に関する印鑑照合部１５の機能ブロック図である。登録印影画像記憶部２１は、印鑑照合のために印鑑サーバ５から取り寄せた登録印影画像３２を記憶する。登録印影画像３２には、後述する登録印影と登録印影以外の印影とを含む。登録印影候補抽出部２２は、登録印影画像記憶部２１に記憶した登録印影画像から登録印影の候補となる候補印影Ａ、Ｂを抽出する。登録印影候補記憶部２３は、登録印影候補抽出部２２によって抽出された候補となる候補印影Ａ、Ｂを一時記憶する。はみ出し印影判定部２４は、登録印影候補記憶部２３に記憶する候補となる候補印影Ａ、Ｂについて、前記登録印影画像３２からはみ出す印影か否か、即ち登録印影画像３２に収まっているか否か判定する。
【００１９】
更に、カウンタ部２５は、はみ出し印影判定部２４において登録印影画像３２からはみ出す印影であると判定した回数Ｎをカウントする。はみ出し印影の抽出回数は変更することができる。登録印影記憶部２６は、登録印影の候補となる候補印影Ａ、Ｂから最終的に決定された登録印影Ａを記憶する。被照合印影記憶部２７は、営業店窓口端末１０のダイレクトスキャナ１３によって読み取った被照合印影Ｄを記憶する。そして、照合制御部２８は印鑑照合部１５内の各部を制御する。
【００２０】
次に、第１の実施の形態に関する印鑑照合処理の動作を説明する。図４は第１の実施の形態に関する印鑑照合処理のフローチャートである。印鑑照合処理の動作に先立ち、顧客は、帳票８に自己の口座の店番、科目、口座番号を記入し、被照合印影Ｄとなるお届け印を押印する。更に顧客はこの帳票８を営業店窓口端末１０の担当者に渡す。これを受取った担当者はダイレクトスキャナ１３のマット上に帳票８をセットし、操作を開始する。
【００２１】
Ｓ１０１：営業店窓口端末１０の営業店端末制御部１７は、ダイレクトスキャナ１３に対して、マット上にセットされた帳票８を読み取るよう指示する。当該帳票８には店番、科目、口座番号が記載され、更に被照合印影Ｄが押印されている。営業店端末制御部１７は、端末記憶部１６に対し被照合印影Ｄを抽出し、当該被照合印影Ｄを記憶するよう指示する。
【００２２】
Ｓ１０２：営業店端末制御部１７は、図示しないＯＣＲ帳票読取部を制御し、店番、科目、口座番号を読取り、これらの情報を確定させる。なお、ＯＣＲ帳票読取部によらない場合は、担当者はマウス・キーボード１２を使って店番、科目、口座番号を入力するので、営業店端末制御部１７は、マウス・キーボード１２に対し、これらの入力を受け付けるよう指示する。マウス・キーボード１２の入力により、これらの情報が確定する。
【００２３】
Ｓ１０３：営業店端末制御部１７は、印鑑照合のために、確定した店番、科目、口座番号を事務センタ２の印鑑サーバ５に送信する。そして、印鑑サーバ５に対して登録印影を要求し、登録印影を含む登録印影画像３２を取得する。営業店端末制御部１７は、印鑑照合部１５に対し、取得した登録印影画像３２中の複数の登録印影候補から正しい登録印影を抽出するよう指示する。なお、詳細は後に図５で説明する。
【００２４】
Ｓ１０４：営業店端末制御部１７は、同時にディスプレイ１１に対し取引画面を表示するよう指示する。これにより、担当者は各種入力を行う。
Ｓ１０５：印鑑サーバ５から登録印影を含む登録印影画像３２を取得すると、営業店端末制御部１７は、端末記憶部１６に対し登録印影を含む登録印影画像３２を記憶するよう指示する。そして、営業店端末制御部１７は、印鑑照合部１５に対し、記憶部に記憶した登録印影を読み出し、当該登録印影Ａと前記被照合印影Ｄの照合を行うよう指示する。
【００２５】
Ｓ１０６：営業店端末制御部１７は、ディスプレイ１１に対し、印鑑照合画面を表示するよう指示する。これにより、担当者は印鑑照合画面を確認する。
Ｓ１０７：営業店端末制御部１７は、担当者がマウス・キーボード１２によって印鑑照合の確認を行ったか否かチェックする。
Ｓ１０８：担当者による確認がＮＧの場合、営業店端末制御部１７は取消処理を行う。
Ｓ１０９：担当者による確認がＯＫの場合、営業店端末制御部１７は、印鑑照合が完了したことを金融機関ネットワーク４を介してホストコンピュータ３へ送信する。
【００２６】
図５は第１の実施の形態に関する登録印影取得処理のフローチャートである。
Ｓ２０１：印鑑照合部１５の照合制御部２８は、印鑑サーバ５から登録印影画像３２を受信すると、登録印影画像記憶部２１に対し、登録印影画像３２を記憶するよう指示する。
Ｓ２０２：照合制御部２８は、登録印影候補抽出部２２に対し、登録印影画像記憶部２１に記憶した登録印影画像３２中の複数の印影から一つの登録印影候補を抽出するよう指示する。そして、登録印影候補記憶部２３に対し、抽出した登録印影候補を一時記憶するよう指示する。
【００２７】
なお、登録印影画像３２から印影を抽出する方法としては、例えば登録印影画像３２内の罫線を除去し、黒画像の連続する曲線を印影の外枠と判断して印影を検出するなど、従来周知の技術を用いて行うものとする。
【００２８】
Ｓ２０３：照合制御部２８は、はみ出し印影判定部２４に対し、登録印影候補記憶部２３に記憶した登録印影候補がはみ出し印影か否か判断するよう指示する。即ち、登録印影候補が登録印影画像３２内に収まっているか否かを判断するよう指示する。同時に、抽出した登録印影候補の抽出回数ＮがＮ＜４か否か判断する。抽出した登録印影候補がはみ出し印影であり、かつＮ＜４であるときステップ２０４へ移行する。そうでないときは、ステップ２０６へ移行する。
【００２９】
ここで、はみ出し印影判定部２４が行うはみ出し印影の判定処理について説明する。図６は第１の実施の形態に関するはみ出し印影の判定処理を示す説明図である。同図（ａ）は登録印影画像３２内に２個の印影Ａ及びＢがある場合を示し、同図（ｂ）は登録印影画像３２内に４個の印影Ａ及びＢ１、Ｂ２、Ｂ３がある場合を示す。同図（ａ）において、印影Ａは登録印影画像３２内に収まっており、登録印影Aとして後に印鑑照合の対象となる。印影Ｂは登録印影画像３２内には収まっておらず、登録印影以外の印影としてのはみ出し印影と判定される。はみ出し印影Ｂは印鑑照合の対象から除外される。同図（ｂ）において、登録印影以外の印影としてのはみ出し印影Ｂ１乃至Ｂ３は印鑑照合の対象から除外される。はみ出し印影の判定処理は、各印影が候補として抽出され、次に示すはみ出し印影の判定方法に従ってはみ出し印影か否か判定される。
【００３０】
図７は第１の実施の形態に関するはみ出し印影の判定方法を示す説明図である。同図において、Ｃは円形の印影を示す。はみ出し印影判定部２４は、印影が円形であることを判読し、印影中心位置Ｑの座標位置を画像処理によって割り出す。印影中心位置Qを割り出す方法としては、例えば、円形の印影であれば、印影の外枠の異なった2点から垂線を引き、垂線の交点から印影の外枠までの垂線の長さがそれぞれ等しくなる交点を中心とする。また、印影が小判形であれば、外枠の曲率がもっともきつい点とゆるい点を検出し、2点から垂線を引き、垂線の交点を中心とする。印影が方形であれば、対角線の交点を中心とする。印影中心位置Qを割り出す方法は、上記のほか従来周知の技術を用いて行うようにすればよい。
【００３１】
更に、はみ出し印影判定部２４は、印影Ｃの幅ｄと高さｈを画像処理によって算出する。これにより、はみ出し印影判定部２４は、はみ出し量Ｓを算出することができる。Ｓ＞０であれば印影Ｃははみ出し印影であると判定する。なお、印影Ｃが小判形及び方形である場合も同様に、印影中心位置Ｑの座標位置を割り出し、印影Ｃの幅ｄと高さｈを算出した後、はみ出し量Ｓを算出する。更に、印影Ｃが小判形である場合で印影に傾きがあるときは、傾きを修正した後、はみ出しを判定することになる。
【００３２】
また、はみ出しを判定するのに、上記のように印影中心位置Qの座標位置を割り出してはみ出し量Sを算出する方法の他に、例えば印影が円形または小判形の場合に、印影の形状が外枠から円形か小判形かが推定可能な程度に判別できる印影であれば、抽出した登録印影候補の外枠と一致する外枠を推定し、推定した外枠と抽出した登録印影候補の外枠とを重ねて一致しない場合ははみだし印と判定するようにしてもよい。こうすることで、印鑑中心位置Qの算出を行わずとも印影のはみ出しを判定することもできる。
【００３３】
図５に戻り、ステップ２０４以降を説明する。
Ｓ２０４：ステップ２０３において、抽出した登録印影候補がはみ出し印影であり、かつＮ＜４であるとき、抽出された印影候補を対象外とする。
Ｓ２０５：照合制御部２８は、カウンタ部２５に対し、リトライ回数は初期値＝０であるところ、１加算するよう指示する。そして、ステップ２０２へ移行する。図６（ｂ）に示すように候補とする印影は４個まで判定することができる。
【００３４】
Ｓ２０６：ステップ２０３において、抽出した登録印影候補がはみ出し印影でなく、かつＮ＜４でないとき、照合制御部２８は、はみ出し印影判定部２４に対し、候補の印影を登録印影として抽出するよう指示し、登録印影記憶部２６に対し登録印影を記憶するよう指示する。
Ｓ２０７：更に、照合制御部２８は、被照合印影記憶部２７に対し、ダイレクトスキャナ１３が読取った被照合印影Ｄを記憶するよう指示する。
【００３５】
次に、登録印影Ａと被照合印影Ｄの照合について説明する。図８は第１の実施の形態に関する印鑑照合画面を示す説明図である。営業店窓口端末１０が、印鑑サーバ５から取得した登録印影画像３２には、前述のように２個の印影Ａ及びＢが含まれている。前述のように、はみ出し判定によって印影Ｂがはみ出し印影であると判定され、印影Ｂは排除される。そして、登録印影部分画像３４には登録印影Ａが残ることになる。即ち、印影Ａが登録印影Ａと判定され、そして、登録印影部分画像３４は登録印影記憶部２６に記憶される。一方、ダイレクトスキャナ１３が読取った帳票８からは被照合印影部分画像３１が得られ、そこには被照合印影Ｄが含まれている。そして、被照合印影部分画像３１は被照合印影記憶部２７に記憶される。
【００３６】
営業店窓口端末１０の営業店端末制御部１７は、印鑑照合部１５を制御し、ディスプレイ１１に対し、登録印影部分画像３４と被照合印影部分画像３１を表示するよう指示する。ここで、登録印影部分画像３４の登録印影Ａと被照合印影部分画像３１の被照合印影Ｄを並べて表示するか又は重ねて表示することもできる。登録印影Ａと被照合印影Ｄを並べて表示するときは、担当者が目視で印鑑照合を行う。登録印影Ａと被照合印影Ｄを重ねて表示するときは、営業店端末制御部１７は、ディスプレイ１１に対し、形状が相違する部分は異なる表示をするよう指示する。同図は、登録印影Ａと被照合印影Ｄを重ねて表示した印影Ｅに対し、登録印影Ａと被照合印影Ｄの形状が異なる部分は異なる表示Ｅ−１であることを示す。これにより、担当者は登録印影Ａと被照合印影Ｄの印鑑照合を行うことができる。
【００３７】
以上、第１の実施の形態によれば、印鑑サーバ５に格納した登録印影画像３２に複数の印影Ａ、Ｂがある場合、登録印影画像３２からはみ出し印影Ｂを判定することができるので、複数の印影Ａ、Ｂから目的とする登録印影Ａを自動的に抽出することにより、登録印影Ａと被照合印影Ｄとの照合作業を簡単に行うことができる。更に、はみ出し印影Ｂの判定は、簡単な画像処理によって可能であるという効果を有する。
【００３８】
なお、本実施の形態では上記抽出回数ＮがＮ＜４か否かを判断するとして説明しているが、予め任意の基準値を設定すればよく、本発明は上記４という数字に限定されない。また、印鑑照合部１５に第２の実施の形態において後述する登録印影候補数判定部４３を設け、登録印影候補の抽出に先立って登録印影画像３２から登録印影候補の数を計数した結果をＭとして、Ｎ＜ＭでＳ２０３の処理を行うようにしてもよい。この場合、例えば図６（ａ）に示すような登録印影画像３２内に印影が２つある場合にはＮ＜２となり、図６（ｂ）に示すような場合にはＮ＜４となる。
【００３９】
また、本実施の形態では、登録印影画像３２内に複数の印影が含まれていることを前提として説明したが、登録印影画像３２内に印影が一つしか含まれていない場合は、はみ出し印影の判定を行わず、すぐにＳ１０４以降の処理を行うようにしてもよい。
【００４０】
＜第２の実施の形態＞
図９は第２の実施の形態に関する営業店窓口端末５０の構成を示すブロック図である。印鑑照合装置としての営業店窓口端末５０は、表示部としてのディスプレイ１１と、入力部としてのマウス・キーボード１２と、ダイレクトスキャナ１３と、通伝プリンタ１４と、印鑑照合部５５と、端末記憶部１６等からなる。これらのうち、第１の実施の形態と同じ構成要素は同一の符号で示すことにより説明を省略する。第２の実施の形態においては、更に、特定文字記憶部５１を有することが前記第１の実施の形態と異なる。
【００４１】
特定文字記憶部５１は、印鑑サーバ５から読み出した登録印影画像６２に含まれている文字画像の中から特定の文字を検出するため、検出対象となる文字を記憶する。特定の文字とは、後述する「お届印」、「係印」及び「検印」である。これらの特定の文字は、営業店端末制御部５７の制御によって特定文字記憶部５１から読み出される。そして、この特定の文字と同じ文字が、次に説明する印鑑照合部５５の文字検出部４４によって登録印影画像６２に中から検出される。
【００４２】
図１０は第２の実施の形態に関する印鑑照合部５５の機能ブロック図である。登録印影画像記憶部４１は、印鑑照合のために印鑑サーバ５から取り寄せた登録印影画像６２を記憶する。登録印影画像６２には、登録印影と登録印影以外の印影とを含む。登録印影候補抽出部４２は、登録印影画像記憶部４１に記憶した登録印影画像６２から登録印影の候補となる候補印影Ａ、Ｆ、Ｇを抽出し、その位置を算出する。登録印影候補数判定部４３は、登録印影候補抽出部４２によって抽出された登録印影候補となる候補印影Ａ、Ｆ、Ｇの個数を判定する。
【００４３】
更に、文字検出部４４は、印鑑サーバ５から読み出した登録印影画像６２に含まれている文字画像の中から特定文字記憶部５１に記憶された「お届印」等の特定の文字を検出し、その位置を算出する。距離算出部４５は、文字検出部４４で検出された特定の文字の位置と、候補印影Ａ、Ｆ、Ｇの位置から両者の距離を算出する。格上げ・格下げ処理部４６は、距離算出部４５で算出された特定の文字と候補印影間の距離に応じて、各々の候補印影について、格上げ・格下げ処理を行うことにより登録印影を選択する。登録印影記憶部４７は、候補印影Ａ、Ｆ、Ｇから格上げ・格下げ処理部４６によって格上げされた、即ち最終的に決定された登録印影Ａを記憶する。被照合印影記憶部４８は、営業店窓口端末５０のダイレクトスキャナ１３によって読み取った被照合印影Ｄを記憶する。そして、照合制御部４９は印鑑照合部５５内の各部を制御する。
【００４４】
図１１は第２の実施の形態に関する登録印影抽出処理のフローチャートである。
Ｓ３０１：印鑑照合部５５の照合制御部４９は、印鑑サーバ５から登録印影画像６２を受信すると、登録印影画像記憶部４１に対し、登録印影画像６２を記憶するよう指示する。
Ｓ３０２：照合制御部４９は、登録印影候補抽出部４２に対し、登録印影画像記憶部４１に記憶した登録印影画像６２内の１個又は複数の印影を抽出するよう指示する。
【００４５】
Ｓ３０３：照合制御部４９は、登録印影候補数判定部４３に対し、登録印影候補抽出部４２で抽出した候補印影の個数を判定するよう指示する。判定の結果１個である場合はステップ３０７へ移行し、複数個である場合はステップ３０４へ移行する。
【００４６】
ここで、特定文字の位置と、候補印影の位置間の距離に応じて、格上げ・格下げ処理部４６で行う格上げ・格下げ処理について説明する。まず、図１２は第２の実施の形態に関する登録印影画像６２の印影と文字を示す説明図である。登録印影画像６２は、図示しない口座開設の申込書を読取った画像の一部である。口座開設の申込書には複数の罫線６３が表示され、複数の罫線で囲まれた記載欄が形成されている。
【００４７】
特定文字としての「お届印」の文字６４は、登録印を押印する位置を示す文字であり、お届印押印欄６５に予め印刷されている。お届印押印欄６５には、お届印の印影Ａが表示される。また、特定文字としての「係印」の文字６６は、係印を押印する位置を示す文字であり、係印押印欄６７に予め印刷されている。係印押印欄６７には、係印の印影Ｆが表示される。更に、特定文字としての「検印」の文字６８は、検印を押印する位置を示す文字であり、検印押印欄６９に予め印刷されている。検印押印欄６９には、検印の印影Ｇが表示される。
【００４８】
図１３は第２の実施の形態に関する特定文字と印影間の距離を示す説明図である。同図は、「お届印」の文字６４、「係印」の文字６６及び「検印」の文字６８の各位置と、印影Ａの中心ＡＱ、印影Ｆの中心ＦＱ及び印影Ｇの中心ＧＱの各位置との距離が算出されることを示す。そして、破線で示す線分は、一定の距離外のため格上げ・格下げ処理を行わないことを示す。更に、実線で示す線分は、一定の距離内のため格上げ・格下げ処理を行うことを示す。即ち、格上げ・格下げ処理は、「お届印」の文字６４と印影Ａの中心ＡＱ間、「係印」の文字６６と印影Ｆの中心ＦＱ間及び「検印」の文字６８と印影Ｇの中心ＧＱ間の距離に応じて判定される。即ち、格上げ・格下げ処理の結果、「お届印」の文字６４から一定の距離内にある印影Ａは格上げされる。そして、「係印」の文字６６から一定の距離内にある印影Ｆ及び「検印」の文字６８から一定の距離内にある印影Ｇは格下げされる。そうすることにより、最終的に「お届印」の文字６４の真下にある印影Ａが登録印影として抽出することができる。
【００４９】
図１１に戻り、ステップ３０４以降を説明する。
Ｓ３０４：ステップ３０３において、登録印影候補数判定部４３が判定した登録印影候補数が複数であるとき、照合制御部４９は、文字検出部４４に対し、特定文字記憶部５１から読み出した特定文字について、登録印影画像６２内から検出するよう指示する。特定文字とは、口座開設時の申込書に使用されている「お届印」、「係印」及び「検印」である。金融機関によって口座開設時の申込書に使用される文字が異なるときは、検出する特定文字はそれに合わせた文字となる。文字検出部４４は、検出した特定文字の登録印影画像６２における位置を画像として記憶する。
【００５０】
Ｓ３０５：照合制御部４９は、距離算出部４５に対し、各特定文字の位置と複数の印影間の距離を算出するよう指示する。この距離は、図１０で説明した「お届印」の文字６４、「係印」の文字６６及び「検印」の文字６８の各位置と、印影Ａの中心ＡＱ、印影Ｆの中心ＦＱ及び印影Ｇの中心ＧＱの各位置間の距離である。
【００５１】
Ｓ３０６：照合制御部４９は、格上げ・格下げ処理部４６に対し、前記距離算出部４５で算出した距離について、格上げ・格下げ処理を行うよう指示する。格上げ・格下げ処理部４６は、図１０で説明したように「お届印」の文字６４と印影Ａの中心ＡＱ間を格上げする。これにより、照合制御部４９は、印影Ａについて登録印影と判定する。
【００５２】
Ｓ３０７：照合制御部４９は、登録印影記憶部４７に対し、印影Ａを登録印影として記憶するよう指示する。
Ｓ３０８：更に、照合制御部４９は、被照合印影記憶部４８に対し、ダイレクトスキャナ１３が読取った被照合印影Ｄを記憶するよう指示する。最後の登録印影Ａと被照合印影Ｄの照合については第１の実施の形態と同じであるので説明を省略する。
【００５３】
以上、第２の実施の形態によれば、登録印影画像６２内にお届印以外に、係印や検印がある場合、「お届印」等の特定の文字を検出し、特定文字と印影との距離に応じて登録印影Ａを判定することとしたので、複数の印影Ａ、Ｆ、Ｇから目的とする登録印影Ａを自動的に抽出することにより、登録印影Ａと被照合印影Ｄとの照合作業を簡単に行うことができる。登録印影の判定は、特定文字と印影との距離に応じて格上げ・格下げ処理により行うこととしたので、登録印影を簡単に判定することができるという効果を有する。
【符号の説明】
【００５４】
５            印鑑サーバ
１０          営業店窓口端末
１１          ディスプレイ
１３          ダイレクトスキャナ
１５          印鑑照合部
３２          登録印影画像
Ａ、Ｂ、Ｄ    印影
【図１】
0005593966.tif 000002
【図２】
0005593966.tif 000003
【図３】
0005593966.tif 000004
【図４】
0005593966.tif 000005
【図５】
0005593966.tif 000006
【図６】
0005593966.tif 000007
【図７】
0005593966.tif 000008
【図８】
0005593966.tif 000009
【図９】
0005593966.tif 000010
【図１０】
0005593966.tif 000011
【図１１】
0005593966.tif 000012
【図１２】
0005593966.tif 000013
【図１３】
0005593966.tif 000014